(57)【要約】【課題】  いわゆるシステム天井の天井裏に、室内機本体を安定的に設置することができるようにした、天井埋込型空気調和装置を提供する。【解決手段】  天井に吊り具１５を介して吊り下げられる保持バー１７と、この保持バー１７に支持される天井材２１とで構成されるシステム天井の天井裏に配置されると共に、送風機３、熱交換器５、ドレンパン７を有する室内機本体１備え、この室内機本体１を、一部の天井材２１を取り外して形成された開口２２に臨ませ、この開口に、本体に連結される化粧パネル９を配置し、本体、及び化粧パネルの少なくとも一方に、保持バー１７に係合する位置出し部材２５を設けた。【選択図】      図３
2005282956.tif 000002
【特許請求の範囲】
【請求項１】
天井に吊り具を介して吊り下げられる保持バーと、この保持バーに保持される天井材とで構成されるシステム天井の天井裏に配置されると共に、送風機と、熱交換器と、ドレンパンとを有する室内機本体を備え、
この室内機本体を、一部の天井材を取り外して形成された開口に臨ませ、この開口に、前記本体に連結される化粧パネルを配置し、
前記本体、及び前記化粧パネルの少なくとも一方に、前記保持バーに係合する位置出し部材を設けたことを特徴とする天井埋込型空気調和装置。
【請求項２】
前記本体、及び前記化粧パネルが２つの保持バーの間に位置し、前記位置出し部材が、前記保持バーの内外側部の内、外側部に当接する外側部当接材を備えたことを特徴とする請求項１記載の天井埋込型空気調和装置。
【請求項３】
前記外側部当接材が、前記保持バーに対し接離自在であることを特徴とする請求項２記載の天井埋込型空気調和装置。
【請求項４】
前記本体、及び前記化粧パネルが２つの保持バーの間に位置し、前記位置出し部材が、前記保持バーの内外側部の内、内側部に当接する内側部当接材を備えたことを特徴とする請求項１乃至３のいずれか一項記載の天井埋込型空気調和装置。
【請求項５】
前記内側部当接材が、前記保持バーに対し接離自在であることを特徴とする請求項４記載の天井埋込型空気調和装置。
【請求項６】
前記化粧パネルの一部が、前記保持バーを覆うことを特徴とする請求項１乃至５のいずれか一項記載の天井埋込型空気調和装置。
【請求項７】
前記化粧パネルと前記保持バーとの間に緩衝材を配置したことを特徴とする請求項１乃至６のいずれか一項記載の天井埋込型空気調和装置。
【請求項８】
前記化粧パネルの一部に、前記保持バーの内外側部の内、内側部に当接する第２の内側部当接材を備えたことを特徴とする請求項１乃至７のいずれか一項記載の天井埋込型空気調和装置。
【請求項９】
前記第２の内側部当接材が、前記化粧パネルとは別体であることを特徴とする請求項８記載の天井埋込型空気調和装置。
【請求項１０】
前記第２の内側部当接材が、前記保持バーの内側部に当接自在なテーパ面を備えることを特徴とする請求項８又は９記載の天井埋込型空気調和装置。
【発明の詳細な説明】
【技術分野】
【０００１】
本発明は、システム天井の天井裏に配置される室内機本体を備えた天井埋込型空気調和装置に関する。
【背景技術】
【０００２】
近年、建築業界では、オフィス賃貸における貸し手、借り手の双方に自由度の高い、いわゆるグリッドシステム天井が提案されている。このグリッドシステム天井は、オフィスをスケルトン貸しして、借り手が自由に、任意のシステム天井を導入できるようにしたものであり、標準仕様で貸し出したオフィスを原状回復してから退去する従来のシステムと比べた場合、コストの削減等に寄与するとされている。
【０００３】
ところで、一般に、遠心送風機の周囲に円形、もしくは多角形で当該送風機を囲むように熱交換器を配置し、送風機の下部から吸った室内空気を、熱交換器を通して熱交換し、この熱交換した空調空気を室内に吹出す形式の天井埋込型空気調和装置が知られている（例えば、特許文献１参照）。この種のものでは、天井裏に埋め込まれる本体と、天井に露出して本体の開口を覆う化粧パネルとを有し、この化粧パネルの４辺に吹出口（４方向カセット型）を備え、或いは２辺に吹出口（２方向カセット型）を備えて構成されている。４方向カセット型では、一般に、遠心送風機にターボファンが用いられる。ターボファンが用いられた場合、熱交換器は、ターボファンに対してほぼ均等に離れた位置に配置されるのが望ましく、その構造物は小型化、高効率化の視点から見ると結果的に、ほぼ正方形の本体内に収められる。また、この正方形の本体を持つユニットでは、正方形の化粧パネルを備えて構成され、実際にはオフィスに良く見られる簡易な天井板（ジプトーン約９００ｍｍ角）１枚をはずした正方形の開口部に吊りねじも含めてユニットがちょうど収まるサイズになっており、施工性が向上されている。
【０００４】
このように、４方向カセット型は、空調機として小型化、高効率化、施工性向上を実現しており、市場でも評価されている一方、広いオフィスに複数台の空調機を一定間隔で配置する場合、温度分布の点からはそれぞれに４つずつの吹出口がある必要はなく、むしろ必要以上に吹出口が多く、四方八方に気流が吹出すことから、不快な気流が直接人に当たりやすいという問題がある。また、オフィスのインテリアでは照明器具をライン上に整然と並べる天井がよく見受けられるが、空調機もデザインに方向性を持たせて、照明のラインに合わせることで、オフィス天井をすっきりと見せようとする傾向がある。このような場合、４方向カセット型では、一部の吹出口が照明ラインに直交してしまうため、そうでないものに比べ、意匠性が損なわれるという問題がある。
【０００５】
これに対して、従来では、２方向カセット型が提案されている。この２方向カセット型では、２つの吹出口による方向性を照明ラインの方向性と合わせることができるため、インテリアのデザイン性を向上させようとする建築デザイナーの意図を、十分反映させることができるという利点がある。また、１方向カセット型と呼称されるものもあり、このものは、吹出口が一つであるため、任意の方向に空調空気を吹出すことができ、空調性の向上を図ることができるといった利点がある。
【０００６】
上述したように、１方向、２方向及び４方向カセット型には、夫々の有用な利点があるため、一般的に、使い分けされている。
【特許文献１】特開平５−１８７６４９号公報
【発明の開示】
【発明が解決しようとする課題】
【０００７】
上記構成による４方向カセット型、２方向カセット型、或いは１方向カセット型等の室内機本体を、上述したシステム天井の天井裏に配置する場合、一部の天井材を取り外して形成された開口部に、上記室内機本体を取り付けることになる。
【０００８】
しかしながら、一般に、システム天井では一枚でも天井材を取り外すと、天井全体の強度バランスが崩れるといったことが考えられる。
【０００９】
そこで、本発明の目的は、上述した従来の技術が有する課題を解消し、いわゆるシステム天井の天井裏に、室内機本体を安定的に設置することができるようにした、天井埋込型空気調和装置を提供することにある。
【課題を解決するための手段】
【００１０】
本発明は、天井に吊り具を介して吊り下げられる保持バーと、この保持バーに保持される天井材とで構成されるシステム天井の天井裏に配置されると共に、送風機と、熱交換器と、ドレンパンとを有する室内機本体を備え、この室内機本体を、一部の天井材を取り外して形成された開口に臨ませ、この開口に、前記本体に連結される化粧パネルを配置し、前記本体、及び前記化粧パネルの少なくとも一方に、前記保持バーに係合する位置出し部材を設けたことを特徴とする。
【００１１】
この場合において、前記本体、及び前記化粧パネルが２つの保持バーの間に位置し、前記位置出し部材が、前記保持バーの内外側部の内、外側部に当接する外側部当接材を備えていてもよい。また、前記外側部当接材が、前記保持バーに対し接離自在であってもよい。さらに、前記本体、及び前記化粧パネルが２つの保持バーの間に位置し、前記位置出し部材が、前記保持バーの内外側部の内、内側部に当接する内側部当接材を備えていてもよい。前記内側部当接材が、前記保持バーに対し接離自在であってもよい。
【００１２】
前記化粧パネルの一部が、前記保持バーを覆っていてもよい。また、前記化粧パネルと前記保持バーとの間に緩衝材を配置してもよい。さらに、前記化粧パネルの一部に、前記保持バーの内外側部の内、内側部に当接する第２の内側部当接材を備えていてもよい。前記第２の内側部当接材が、前記化粧パネルとは別体であってもよい。また、前記第２の内側部当接材が、前記保持バーの内側部に当接自在なテーパ面を備えていてもよい。
【発明の効果】
【００１３】
本発明では、室内機本体、及び化粧パネルの少なくとも一方に、保持バーに係合する位置出し部材を設けたから、いわゆるシステム天井の天井裏に、室内機本体を安定的に設置することができる。
【発明を実施するための最良の形態】
【００１４】
以下、本発明の一実施形態を添付図面に従って説明する。
【００１５】
図１は、２つの吹出口を備えた、２方向カセット型と呼称される空気調和装置を示している。１は箱形の室内機本体を示し、この室内機本体１には、送風機３、熱交換器５、発泡スチロール製のドレンパン７、図示を省略したドレンポンプ等の各種機器類が収納されている。この室内機本体１は、被調和室の天井に複数本の吊りボルト８を介して吊り下げられている。この室内機本体１における下側を向いた開口面には、化粧パネル９が取り付けられ、この化粧パネル９は中央が大きく開口し、その開口部には、化粧部材１０を備えて構成されている。そして、この化粧部材１０の両側隙間に吸込口１１が形成され、その外側に２つの吹出口１２が形成されている。１３は風向変更板である。
【００１６】
上記送風機３が駆動されると、実線矢印で示すように、室内空気が、化粧パネル９の吸込口１１から吸い込まれ、熱交換器５に至り、ここで熱交換した後、風向変更板１３で案内されて、２つの吹出口１２から室内に吹き出される。
【００１７】
図２は、本空気調和装置をグリッドシステム天井に設置した状態を示す側断面図、図３は、同じく天井裏から見た斜視図である。
【００１８】
このグリッドシステム天井は、天井に複数本の吊り具１５、及び吊り金具１６を介して吊り下げられる保持バー（以下、Ｔバーという。）１７を備え、このＴバー１７は、図３に示すように、グリッド状に組まれて、ほぼ水平に天井空間に配設されている。このＴバー１７は、図２に示すように、上部に掴み部１８を備え、下部に受け部１９を備え、これらを連結部２０で連結して構成される。そして、掴み部１８には、吊り金具１６が連結され、この吊り金具１６に吊り具１５が連結される。また、グリッド状に組まれたＴバー１７の受け部１９には、その上面に載せるようにして、例えば、６００×６００ｍｍ又は６４０×６４０ｍｍの大きさの天井材２１が設置される。上述したように、近年、オフィス賃貸における貸し手、借り手の双方に自由度の高いグリッドシステム天井が提案されている。このグリッドシステム天井は、まず、オフィスをスケルトン貸しする。そして、借り手が自由に、上記吊り具１５、及び吊り金具１６を介してＴバー１７を吊り下げ、その受け部１９の上面に、上記大きさの天井材２１を載せることで、任意のシステム天井を導入する。これによれば、標準仕様で貸し出したオフィスを原状回復してから退去する従来のシステムと比べた場合、コストが大幅に削減される。しかも、上述した化粧パネル９の周囲と天井材２１との隙間が、受け部１９によって確実に閉じられるため、両者のシール性を確実に向上させることができる。
【００１９】
本構成では、図３に示すように、天井空間の任意の位置における、Ｔバー１７ＡとＴバー１７Ｂとの間の一本のＴバー（図示せず）を取り外すと共に、そこに位置する上記大きさの天井材２１を２枚取り外す。そして、天井材２１を２枚取り外した後の、例えば、６００×１２００ｍｍ又は６４０×１２８０ｍｍの大きさの開口２２に、上記室内機本体１、及び上記化粧パネル９を組み付ける。
【００２０】
これら室内機本体１、及び化粧パネル９は、グリッドシステム天井の天井材２１の大きさに対応させて、その筐体の大きさを設定しておくことが望ましく、例えば、天井材２１を１枚取り外した場合に対応するサイズ、或いは天井材２１を２枚取り外した場合に対応するサイズ、等として準備することが望ましい。
【００２１】
本実施形態では、図２に示すように、室内機本体１の側面（４カ所）に、上述したＴバー１７に係合する位置出し部材２５が設けられる。この位置出し部材２５は、ねじ２６を介して室内機本体１に固定されており、Ｔバー１７の掴み部１８における内外側部の内、外側部に当接する外側部当接材２５Ａと、内側部に当接する内側部当接材２５Ｂとを備えて構成される。本構成では、外側部当接材２５Ａと内側部当接材２５Ｂとの間に、Ｔバー１７の掴み部１８が挟まれる格好になる。施工手順を説明すると、任意の位置におけるグリッドシステム天井の天井材２１を取り外し、そこに形成された開口２２に、室内機本体１が臨むようにして、当該室内機本体１を天井から吊り具１５を介して吊り下げる。そして、位置出し部材２５における、外側部当接材２５Ａと内側部当接材２５Ｂとの間に、Ｔバー１７の掴み部１８を挟ませて、この位置出し部材２５を、室内機本体１の側面にねじ２６を介して固定する。ついで、化粧パネル９の外周のつば部（一部）９Ａを、Ｔバー１７の受け部１９の下面に当接させて、当該受け部１９を覆うようにして、この化粧パネル９を、室内機本体１の下面に結合する。この状態になると、室内機本体１とＴバー１７との間が、位置出し部材２５を介して連結される。
【００２２】
一般に、この種のシステム天井では一枚でも天井材２１を取り外すと、天井全体の強度バランスが崩れる傾向がある。本構成では、２枚の天井材２１だけでなく、そのほかにも、１本のＴバー１７が取り外されている。
【００２３】
本実施形態では、位置出し部材２５を介して、室内機本体１とＴバー１７との間が連結され、この室内機本体１を通じてＴバー１７間が強固に連結されるため、天井全体の強度バランスを保つことができ、いわゆるシステム天井の天井裏に、室内機本体１を安定的に設置することができる。
【００２４】
図４は、別の実施形態を示している。
【００２５】
この構成では、位置出し部材２５が、上下方向に微調整自在に形成され、しかも、外側部当接材２５Ａが、Ｔバー１７に対し接離自在に形成され、さらに、内側部当接材２５Ｂが、Ｔバー１７に対し接離自在に形成されている。すなわち、位置出し部材２５が、垂直部２５Ｃと水平部２５Ｄとを含み、上記垂直部２５Ｃには、ねじ２６のねじ孔２６Ａが上下方向に長孔に形成されている。また、外側部当接材２５Ａは、水平部２５Ｄに取り付けられたねじ２８で構成され、このねじ２８は水平方向に突出自在に形成されている。内側部当接材２５Ｂは、ねじ２９を介して、水平部２５Ｄに取り付けられ、この水平部２５Ｄに設けられた、ねじ２９のねじ孔２９Ａは水平方向に長孔に形成されている。本実施形態では、室内機本体１とＴバー１７との位置関係が、施工状況によって、微妙にずれたとしても、位置出し部材２５に取り付けられた、外側部当接材２５Ａ、又は内側部当接材２５Ｂ、さらには位置出し部材２５自体が、位置を微調整自在に構成されているため、上記位置ずれを簡単に吸収して取り付けが容易になる。
【００２６】
図５乃至図７は、夫々別の実施形態を示す。
【００２７】
夫々の実施形態では、化粧パネル９の外周のつば部９Ａに、上述した内側部当接材２５Ｂとほぼ等価の機能を有した、第２の内側部当接材９Ｂが設けられる。この例に従うと、位置出し部材２５には、内側部当接材２５Ｂを設ける必要がなくなるが、両方の内側部当接材２５Ｂ，９Ｂを設けることは可能である。この第２の内側部当接材９Ｂは、Ｔバー１７の受け部１９の内側部に当接する。図５では、第２の内側部当接材９Ｂが真直ぐに起立しているが、図６及び図７では、第２の内側部当接材９Ｂの外側部が、Ｔバー１７の受け部１９の内側部に当接自在なテーパ面９Ｃを備えている。これによれば、化粧パネル９を下から挿入していく場合、上述したテーパ面９Ｃが案内面となるため、第２の内側部当接材９Ｂと、Ｔバー１７の受け部１９との干渉が回避され、化粧パネル９の挿入が容易になる。また、図５及び図６では、化粧パネル９の外周のつば部９Ａに、第２の内側部当接材９Ｂが一体に形成されているが、図７では、第２の内側部当接材９Ｂが別体に形成されている。これによれば、第２の内側部当接材９Ｂが、いわば後付けとなるため、化粧パネル９自体の製造が容易になる。
【００２８】
図８及び図９は、夫々別の実施形態を示す。本構成では、図２の構成に加え、さらに、化粧パネル９とＴバー１７との間に緩衝材３１が配置される。この緩衝材３１は、振動を吸収自在であり、室内機本体１の内部で発生した振動が吸収されるため、その振動がシステム天井に伝わりにくくなる。図１０では、図２の構成に加え、さらに、化粧パネル９の側面を、Ｔバー１７の受け部１９の内側部に当接させている。これにより、化粧パネル９、受け部１９、天井材２１が略同一平面上（高さが略同一）に位置し、天井全体がフラット形状となり、凹凸面のないすっきりとしたデザイン天井となる。図１１では、化粧パネル９の側面、並びにつば部９Ａの上面を、Ｔバー１７の受け部１９の内側部、並びにその下面に当接させている。この構成では、化粧パネル９とＴバー１７との間が当接するため、室内機本体１を安定的に設置することができる。
【００２９】
上述した実施形態は、あくまでも本発明の一態様にすぎず、本発明の範囲内で任意に変形可能である。例えば、この種の空気調和装置にあっては、室内機本体１と化粧パネル９との間にフィルタチャンバを挟む場合、すなわち、室内機本体１がフィルタチャンバを含む場合がある。この場合、当該フィルタチャンバに対し、上記位置出し部材２５を取り付けてもよいことは明らかである。
【図面の簡単な説明】
【００３０】
【図１】本発明の一実施形態を示す断面図である。
【図２】同じく側面図である。
【図３】天井裏から見た斜視図である。
【図４】別の実施形態を示す図である。
【図５】別の実施形態を示す図である。
【図６】別の実施形態を示す図である。
【図７】別の実施形態を示す図である。
【図８】別の実施形態を示す図である。
【図９】別の実施形態を示す図である。
【図１０】別の実施形態を示す図である。
【図１１】別の実施形態を示す図である。
【符号の説明】
【００３１】
１  室内機本体
３  送風機
５  熱交換器
７  ドレンパン
９  化粧パネル
９Ｂ  第２の内側部当接材
１５  吊り具
１７  Ｔバー（保持バー）
１８  掴み部
１９  受け部
２１  天井材
２５  位置出し部材
２５Ａ  外側部当接材
２５Ｂ  内側部当接材
３１  緩衝材
【図１】
2005282956.tif 000003
【図２】
2005282956.tif 000004
【図３】
2005282956.tif 000005
【図４】
2005282956.tif 000006
【図５】
2005282956.tif 000007
【図６】
2005282956.tif 000008
【図７】
2005282956.tif 000009
【図８】
2005282956.tif 000010
【図９】
2005282956.tif 000011
【図１０】
2005282956.tif 000012
【図１１】
2005282956.tif 000013